(57)【要約】【課題】画像の一部の領域に付された脚注の情報を画像中の指定領域との対応をわかりやすく表示する。【解決手段】一部の領域を指定領域６１１として指定された全体画像６１を表示する画像欄６１と、当該指定領域に関連付けられた注釈情報６２ｂを表示する注釈欄６２とを１画面に含む出力画面６０を作成する場合において、注釈情報６２ｂの属性に応じて、画像欄６１に表示される前記指定領域６１１の枠の線色などの表示形式を異ならせる。【選択図】  図１１
2004246454.tif 000002
【特許請求の範囲】
【請求項１】
一部の領域を指定領域として指定された全体画像を表示する画像欄と、当該指定領域に関連付けられた注釈情報を表示する注釈欄とを１画面に含む出力画面情報を形成するためにコンピュータを、
種々の属性を有する注釈情報を前記指定された指定領域に関連付けを行う注釈付加手段、
前記注釈付加手段によって関連付けされた注釈情報の属性に応じて、前記画像欄に表示される前記指定領域の表示形式を異ならせて前記出力画面情報を形成する画像形成手段、として機能させるための画像形成プログラム。
【請求項２】
前記注釈付加手段が異なる対応付けを行うことができる注釈情報の属性は、前記注釈情報のファイルタイプの種類を含むことを特徴とする、請求項１に記載の画像形成プログラム。
【請求項３】
さらにコンピュータを、前記出力画面情報上において、前記注釈情報又は指定領域のいずれか一方を特定する特定手段として機能させ、
前記画像形成手段は、前記特定手段により特定がなされると、前記特定された情報と当該特定された情報に対応付けられた情報の双方の表示形式を変化させて前記出力画面情報を形成することを特徴とする、請求項１又は２に記載の画像形成プログラム。
【請求項４】
さらにコンピュータを、前記個々の注釈情報ごとに重要度情報を判定する重要度判定手段として機能させ、
前記画像形成手段は、前記重要度判定手段により判定された重要度情報に基づいて、前記注釈情報の表示形式を異ならせた前記出力画面情報を形成することを特徴とする、請求項１乃至３のいずれか１つに記載の画像形成プログラム。
【請求項５】
一部の領域を指定領域として指定された全体画像を表示する画像欄と、当該指定領域に関連付けられた注釈情報を表示する注釈欄とを１画面に含む出力画面情報を形成する画像形成装置であって、
前記指定された指定領域と関連付けられる注釈情報を、その属性に応じて異ならせて関連付けを行う注釈付加手段と、
前記注釈付加手段によって関連付けされた注釈情報の属性に応じて、前記画像欄に表示される前記指定領域の表示形式を異ならせて前記出力画面情報を形成する画像形成手段とを備えたことを特徴とする画像形成装置。
【発明の詳細な説明】
【０００１】
【発明の属する技術分野】
本発明は、コンピュータにより画像を形成する画像形成プログラム及び画像形成装置に関し、特に、インターネットなどにおいて画像の閲覧者から付されたコメントを含む画像を作成する画像作成プログラム及び画像作成装置に関する。
【０００２】
【従来の技術】
近年、デジタルカメラの普及により、撮影した画像を整理するための画像データベースの利用が拡大してきている。これらの画像データベースは、コンピュータにインストールされたプログラムにより検索や閲覧が行えるようになっている。また、画像を整理する際には、それぞれの画像に対応するコメントを入力し、それぞれの画像とそれに対応するコメントとを同時に表示画面に表して閲覧することができるようになっている。
【０００３】
また、インターネットにアクセス可能なサーバ上に画像データを登録して、利用者がインターネットを通じて画像を閲覧できるサイト（フォトサイト）が多く開設されている。この場合において、上記画像の検索や閲覧を行うためのプログラムは、上記サーバ上に配され、各利用者は、当該フォトサイトにアクセスすることにより、上記画像データベースを操作することができる。
【０００４】
これらのフォトサイトでは、不特定の者が、登録されている画像を閲覧して、各画像に対するコメントを送信することができる。そして、不特定の者からコメントと画像とを対応付けて同時に表示して閲覧できるようになっている。
【０００５】
例えば、特許文献１（特開２００２−５５７４８号公報）には、画像に対する注釈を付す場合に、画像の特定の領域を決定し、アイコンと対応付けられたメタデータを当該領域と対応付けすることにより、画像全体の中の一部に注釈を付す技術が開示されている。
【０００６】
また、例えば、当該フォトサイトに画像の登録者自体がコメントを付したいような場合、デジタルカメラで撮影した画像にコメントを付すには、音声データなどを用いるほうが便利である。すなわち、大抵のデジタルカメラは、入力装置として、十字キーと若干のボタンしかなく、テキスト形式でコメントを付すことが極めて面倒である。そこで、一部のデジタルカメラには、撮影した画像に音声でコメント入力をすることができるアフレコ機能を有するものがある。
【０００７】
このようにアフレコ機能を有するデジタルカメラで撮影された画像を、前記フォトサイトに登録する場合、上記フォトサイトにおいて、アフレコにより入力されたコメントを音声データとして用いることができるようにすることにより、テキストデータと同様に取り扱うことができる。
【０００８】
画像にテキストデータのほか音声データやビデオデータなどのマルチメディアデータを用いてコメントが付された場合、音声データやビデオデータなどのマルチメディアデータは、テキストデータと異なり、画面上において同時に表示、再生することができないため、取扱を異ならせる必要がある。しかし、画像のどの領域に付されたコメントがマルチメディアデータであるかなどについては、実際に関連付けられているコメントを再生してみなければ区別がつかず、閲覧者にとっては不便であった。
【０００９】
【特許文献１】
特開２００２−５５７４８号公報
【００１０】
【発明が解決しようとする課題】
したがって、本発明が解決しようとする技術的課題は、画像の一部の領域に付された注釈の情報を画像中の指定領域との対応をわかりやすく表示することができる画像形成プログラム及び画像形成装置を提供することである。
【００１１】
【課題を解決するための手段】
上記課題を解決するために、本発明は、一部の領域を指定領域として指定された全体画像を表示する画像欄と、当該指定領域に関連付けられた注釈情報を表示する注釈欄とを１画面に含む出力画面情報を形成するためにコンピュータを、種々の属性を有する注釈情報を前記指定された指定領域に関連付けを行う注釈付加手段、前記注釈付加手段によって関連付けされた注釈情報の属性に応じて、前記画像欄に表示される前記指定領域の表示形式を異ならせて前記出力画面情報を形成する画像形成手段、として機能させるための画像形成プログラムを提供する。
【００１２】
上記構成において、画像形成プログラムは、コンピュータを、一部の領域を指定領域として指定された全体画像を表示する画像欄と、当該指定領域に関連付けられた注釈情報を表示する注釈欄とを１画面に含む出力画面情報を形成させるためのプログラムである。注釈付加手段は、注釈情報として属性が異なるものを用いることができ、それぞれ画像上に指定された指定領域に対応付けすることができる。注釈情報の属性としては、具体的には、テキストデータやマルチメディアデータなどのファイルタイプや、コメント階層などの注釈を付す位置又はこれらの組み合わせなどが挙げられる。
【００１３】
画像形成手段は、注釈情報の属性に応じて、指定領域の表示形式を異ならせて、出力画面情報を形成する。指定領域の表示形式としては、領域を囲む枠線の色、選手、模様、太さ、指定領域内画像の変色、指定領域内を塗りつぶし、変色、模様を付すなどが例示される。
【００１４】
上記構成によれば、関連付けされている注釈情報の属性に応じて、指定領域の出力形式が異なるため、出力画面を見た閲覧者がどのような属性を有する注射腔情報が付されているかを判断しやすくすることができる。この場合、注釈情報の表示特性と指定領域の表示特性とを共通にすることにより、出力画面を見た閲覧者にとって、その対応をさらに理解しやすくすることができる。
【００１５】
なお、上記構成において、画像に付されているすべての注釈情報に関連付けられている指定領域を表示する必要はなく、例えば、注釈欄に表示されている注釈情報に関連付けられている指定領域のみを画像上に表示するようにしてもよい。
【００１６】
本発明の画像作成プログラムは、具体的には以下のように種々の態様で構成することができる。
【００１７】
さらにコンピュータを、前記出力画面情報上において、前記注釈情報又は指定領域のいずれか一方を特定する特定手段として機能させ、前記画像形成手段は、前記特定手段により特定がなされると、前記特定された情報と当該特定された情報に対応付けられた情報の双方の表示形式を変化させて前記出力画面情報を形成することが好ましい。
【００１８】
上記構成において、特定手段により、注釈情報又は画像上の指定領域が特定されることにより、特定された情報とこれに対応付けられた情報との双方の表示形式を変化させる。表示形式の変更としては、指定領域については上記のように枠線の色や線種などの変更などが例示され、注釈情報としては、表示色の変更、マルチメディアデータの場合は再生するなどが例示できる。
【００１９】
上記構成によれば、特定している指定領域と注釈情報との対応付けを明確にすることができ、特定手段によって特定された情報（指定領域又は注釈情報）と対応付けられている情報（注釈情報又は指定領域）をわかりやすく表示することができる。
【００２０】
また、上記構成において、例えば、複数の注釈情報が関連付けられている１つの領域を特定した場合は、例えば、閲覧者などの操作によって表示形式を異ならせる注釈情報を切り替えたり、１つずつ所定の順番に再生するようにすることができる。
【００２１】
好ましくは、さらにコンピュータを、前記個々の注釈情報ごとに重要度情報を判定する重要度判定手段として機能させ、前記画像形成手段は、前記重要度判定手段により判定された重要度情報に基づいて、前記注釈情報の表示形式を異ならせた前記出力画面情報を形成する。
【００２２】
上記構成において、重要度判定手段は、例えば、閲覧回数、再生した時間の長さ、などの情報に基づいて、個々の注釈情報ごとに重要度情報を判定する。そして、判定された重要度情報に基づいて、前記注釈情報の表示形式を異ならせて出力画面情報を形成する。表示形式は、例えば、注釈情報の変色、大きさを異ならせて表示する、デザインを異らせる、注釈情報の近傍に重要度を示す図や文字情報などを表示することなどにより異ならせることができる。
【００２３】
また、本発明は、一部の領域を指定領域として指定された全体画像を表示する画像欄と、当該指定領域に関連付けられた注釈情報を表示する注釈欄とを１画面に含む出力画面情報を形成する画像形成装置であって、前記指定された指定領域と関連付けられる注釈情報を、その属性に応じて異ならせて関連付けを行う注釈付加手段と、前記注釈付加手段によって関連付けされた注釈情報の属性に応じて、前記画像欄に表示される前記指定領域の表示形式を異ならせて前記出力画面情報を形成する画像形成手段とを備えたことを特徴とする画像形成装置を提供する。
【００２４】
【発明の実施の形態】
以下、本発明の一実施形態にかかるコンピュータシステムについて、図面を参照しながら説明する。図１は、本実施形態にかかるコンピュータシステムの構成図である。本実施形態にかかるコンピュータシステムは、インターネット４に接続されたネットワークシステムである。コンピュータシステムは、本発明の画像作成装置として機能するｗｅｂサーバ１と、当該サーバ１にインターネット４を通じて接続可能な複数の利用者端末２，３から構成されている。それぞれの利用者端末２、３からは、ｗｅｂサーバ１上に開設されたサイトにインターネットを通じてアクセスして、当該サーバ１を操作することができるようになっている。
【００２５】
図２は、図１にかかるコンピュータシステムのｗｅｂサーバの構成を示すブロック図である。ｗｅｂサーバ１は、外部機器としてマウス５及びディスプレイやプリンタなどの出力機器６と接続して用いることができる。当該外部機器と接続される場合は、外部機器インターフェース１１が司る。また、インターネット４との接続を司るＩ／Ｏインターフェース９、ｗｅｂサーバ１の処理全体を司るプロセッサ７、プロセッサの演算領域などとして機能するメモリ１０及び、画像作成プログラム及びデータベースなどを格納する記憶装置８とを備え、それぞれは、バス１２で互いに接続されている。
【００２６】
記憶装置８は、以下の複数のプログラム及びデータベースを備えており、これらが適宜起動することによりｗｅｂサーバのプロセッサ７に以下に示す種々の機能を実行させる。システムプログラム８ａは、ｗｅｂサーバ１が画像作成装置として機能する場合の主な処理、演算を実行させるための画像作成プログラムである。ユーザーデータベースは、当該システムプログラム８ａを操作することができるユーザーを管理するためのデータベースである。画像データベース８ｃは、ｗｅｂサイト上に配する画像及び当該画像に付された注釈であるメタデータの管理を行うためのデータベースである。ｗｅｂデータ８ｄは、ｗｅｂサーバ１に配されるサイトに用いられるｗｅｂデータである。
【００２７】
次に本実施形態にかかるコンピュータシステムの処理の流れについて説明する。図３は、コンピュータシステムにおける動作処理のフローチャートである。まず、ユーザーは、自己の利用者端末２，３を操作して、任意のｗｅｂブラウザにより、当該ｗｅｂサーバに開設されたサイトにインターネット４を通じてアクセスする（＃１０）。これにより、サーバ１に格納されているプログラムが起動され、図４に示すようなログイン画面２０が利用者端末の表示画面に表示される。
【００２８】
ユーザーがすでにユーザーＩＤを取得している場合は、ユーザーは、ユーザーＩＤ及びパスワードをそれぞれテキストボックス２１、２２に入力した後、ＧＯボタン２３を選択することによりログインすることができる（＃１２）。これにより、ステップ＃１４に移行して、図６に示すフォルダ選択処理が呼び出される。なお、ログイン画面２０において、終了ボタン２５を選択すると、当該プログラムが終了する。
【００２９】
一方、ユーザーがユーザーＩＤをまだ取得していない場合は、ユーザー登録ボタン２４を選択することにより、ステップ＃１３に移行し、図５に示すユーザー登録画面３０が表示画面に表示される。ユーザーは、ユーザー登録画面３０において、姓、名、メールアドレスをテキストボックス３１、３２、３３にそれぞれ入力する。
【００３０】
また、ユーザーが所望するユーザーＩＤ及びパスワードをそれぞれテキストボックス３４、３５に入力する。その後、確認のためテキストボックス３６に再度パスワードを入力する。これらの入力が終了したのち、ユーザー登録ボタン３７を選択すると、これらの情報がｗｅｂサーバ１に送信され、ｗｅｂサーバ１は、ユーザーデータベースに当該入力されたユーザーＩＤが取得されているかについて照会する。入力されたユーザーＩＤがユーザーデータベースにおいて、未使用のものである場合は、ログインすることができ、ステップ＃１４に移行して図６に示すフォルダ選択処理が呼び出される。
【００３１】
一方、同一のユーザーＩＤがすでに取得されている場合は、その旨を警告後、ユーザーＩＤのテキストボックス３４を空白にして再びユーザー登録画面を表示して、新しいユーザーＩＤの入力を促す。
【００３２】
なお、ユーザー登録画面３０において、任意のタイミングで終了ボタン３８を選択すると、プログラムが終了する。
【００３３】
フォルダ選択処理では、図７に示すようなフォルダ選択画面４０が表示される。フォルダ選択画面４０内には、リストボックス４２が設けられる。リストボックス４２には、画像ファイルが保存されたフォルダの名称の一覧が表示され、ユーザーは、必要に応じてスクロールバー４１を操作してスクロールしてフォルダの閲覧を行う。
【００３４】
図６はフォルダ選択画面での処理の流れを示すフロー図である。フォルダ選択画面では、ステップ＃１６において、ユーザーの操作によりイベントが発生したか否かが監視される。イベントが発生すると、各イベントに応じた処理が行われる。ユーザーは、当該画面において、上述のように必要に応じてスクロールバー４１を操作し、リストボックス４２の表示をスクロールして、任意のフォルダを選択する。その後、選択ボタン４３を選択すると、ステップ＃１７に移行し、画像一覧処理に移行し、画像一覧画面が表示される。
【００３５】
フォルダ選択画面４０において、戻るボタンを選択すると、ステップ＃１８によりログイン画面２０に戻る。また、終了ボタン４５を選択すると、当該プログラムが終了する。
【００３６】
図８は、画像一覧画面の画面表示例である。画像一覧画面５０には、先のステップで選択されたフォルダに格納されている画像ファイルが一覧表示される。画像一覧画面５０内には、リストボックス５１が設けられる。リストボックス５１には、ｗｅｂサーバ１内の画像データベース８ｃに保存された画像ファイルの画像が、サムネイル表示される。ユーザーは、必要に応じてスクロールバー５８を操作することにより、リストボックス５１に表示される画像をスクロールして、画像を閲覧することができる。
【００３７】
図９は、画像一覧画面での処理の流れを示すフロー図である。画像一覧画面では、ステップ＃１７１において、ユーザーの操作によりイベントが発生したか否かが監視される。イベントが発生すると、各イベントに応じた処理が行われる。
【００３８】
アップロードボタン５３を選択すると、ステップ＃１７２に移行して、図１０に示すファイル指定画面５３１が表示される。ファイル指定画面５３１は、ｗｅｂサーバ１の画像データベース８ｃに登録される画像ファイルの指定ができるようになっている。
【００３９】
ファイル指定画面５３１には、ｗｅｂサーバ１にアップロードする画像ファイルのファイル名を入力する複数のテキストボックス５３２が設けられている。ユーザーは、自己が操作するユーザー端末２、３のローカルフォルダに保存された画像ファイルのファイル名をテキストボックス５３２に入力する（＃１７２）。この際、参照ボタン５３３を操作することにより、自己のユーザー端末のローカルフォルダ内から画像ファイルを検索して、テキストボックス５３２にファイル名を入力することができる。
【００４０】
テキストボックス５３２にファイル名を入力したのち、実行ボタン５３５を選択すると、ステップ＃１７３で指定ファイルがアップロードされ、フォルダ選択画面４０で選択したフォルダ内に画像ファイルが追加され、ステップ＃１８１により画像ファイルが追加された変更後の状態で図８に示す画像一覧画面５０が表示される。一方、ステップ＃１７２、＃１７３において、戻るボタン５３４を選択すると、アップロードが行われずに、ステップ＃１８１を経て画像一覧画面５０が表示される。また、終了ボタン５３６を選択すると、当該プログラムが終了する。
【００４１】
画像一覧画面５０のイベント監視状態（＃１７１）から削除ボタン５４が選択されると、ステップ＃１７５により画像ファイルの削除が行われる。具体的には、リストボックス５１に表示された画像５８には、チェックボックス５９ａ及びファイル名５９ｂが付記されており、チェックボックス５９ａに予めチェックされた画像ファイルが削除ボタン５４の選択により、画像データベースから削除される。そして、画像一覧画面５０は、当該画像ファイルが削除された変更後の状態で表示される（＃１８１）。
【００４２】
画像一覧画面５０のイベント監視状態（＃１７１）から表示枚数変更のコンボボックス５２を操作すると、ステップ＃１７６へ移行する。コンボボックスは、１画面のリストボックス５１に一度に表示可能な画像ファイルの枚数を指定するものであり、ステップ＃１７６において、コンボボックス５２により選択された枚数の画像ファイルが、リストボックス５１に表示される。そして、画像一覧画面５０は、当該画像ファイルの表示枚数が変更された変更後の状態で表示される（＃１８１）。なお、画像ファイルの表示枚数が多く、１枚のリストボックス５１内にすべてを表示することができない場合は、スクロールバー５８を操作することにより、リストボックス５１内の画像をスクロールして表示させることができる。
【００４３】
画像一覧画面５０のイベント監視状態（＃１７１）から前ページリンク５６ａ又は次ページリンク５６ｂを選択すると、それぞれ、ステップ＃１７７、ステップ＃１７８へ移行して前ページ又は次ページの画面に切り換わり、画像一覧画面５０は、当該画像ファイルが前ページ又は次ページに表示される画像データに切り換わった変更後の状態で表示される（＃１８１）。
【００４４】
画像一覧画面５０のイベント監視状態（＃１７１）からリストボックス５１内の画像をクリック又はダブルクリックなどの操作を行うと、ステップ＃１７９に移行して、コメント掲示板処理が呼び出され、図１１に示すコメント掲示板画面が表示される。
【００４５】
画像一覧画面５０のイベント監視状態（＃１７１）から戻るボタン５５を選択すると、ステップ＃１４のフォルダ選択処理が呼び出され、図７に示すフォルダ選択画面が表示される。
【００４６】
また、画像一覧画面５０において、任意のタイミングで終了ボタン５７を選択すると、プログラムが終了する。
【００４７】
図１１にコメント掲示板画面の画面表示例を示す。コメント掲示板画面６０には、画像一覧画面５０において指定された画像ファイルの画像６１、コメントを入力するテキストボックス６４、掲示板に公開されたコメントの一覧を表示するリストボックス６２、ビデオ画像によりコメントが付された場合に当該ビデオを再生する再生画面７１、ビデオデータによるコメントの再生、録画などの処理を行うためのビデオツールバー７２、音声データによるコメントの再生、録音などの処理を行うための音声ツールバー６８、当該画像に付されたコメントに基づいて集計される関心度の表示を行うための関心度表示ボタン７５、関心度表示を行う場合の集計方法を選択するコンボボックス７６などが表示されている。
【００４８】
コメント掲示板画面６０では、図１２に示すように、大きく分けてステップ＃２１のコメント作成処理（既登録のコメントを削除する処理も含む。）及びステップ＃２２のコメント閲覧処理（画像の関心度表示の処理も含む。）の２つの処理が行われる。まず、コメント作成処理（＃２１）について説明する。
【００４９】
図１３は、コメント作成処理の初期処理の流れを示すフロー図である。コメント作成処理においては、コメント掲示板画面において、ユーザーの操作によりイベントが発生したか否かが監視される（＃２３）。イベントが発生すると、以下に示す処理が行われる。
【００５０】
図１４（ａ）は、コメント掲示板画面６０に表示される画像を示す図である。画像６１は、１枚の画像データから構成されると共に、図１４（ｂ）に示すように、当該画像の全域が、小さいセル６１５に分割された状態で管理されている。すなわち、画像上の任意の点がいずれのセルに属するかが一律に決定される。なお、セルは、画像６１の領域管理を行うための概念的なものであるため、図１４（ｂ）に示されたセルに分割された画像は、コメント掲示板画面６０には表示されていない。また、セルの大きさは、例えば、画像の大きさ（ピクセル数）に応じて適宜設定することができ、例えば、最小単位として画像を構成するピクセル自体をセルとしてもよいし、数ピクセルごとに１つのセルとして領域管理してもよい。
【００５１】
ユーザーがマウスなどのポインティングデバイスを操作し、コメント掲示板画面６０においてポインタ６１０を移動させて画像６１上をでドラッグ（＃２４）すると、ドラッグの始点および終点を対角点（図１４においては、左上点Ｐ１及び右下点Ｐ２）とする入力候補の矩形マーク６１０を作成し、画像上に表示する。このときに表示される矩形マークは、点滅表示される。なお、すでに画像６１に未確定の矩形マーク（図示なし）が表示されている場合は、新たに画像上においてドラッグが開始されることにより、先に表示されている矩形マークは消去され、現在ドラッグされている矩形マークが作成、表示される。
【００５２】
矩形マークは、図１４（ｂ）に示すように、その対角点Ｐ１、Ｐ２の画像上の座標（ｘ１、ｙ１）及び（ｘ２、ｙ２）により画一的に決定される。そして、この矩形マーク６１１ｘと共通する領域に存在するセル６１５ｘが抽出され、当該矩形マーク６１１に対応するセルが決定する。
【００５３】
このようにして、選択領域が指定されると（＃２５）、所望の選択領域ごとにコメントを関連付けることができるようになっている。このコメントを入力するための処理として、メタデータ入力処理（＃２６）が行われる。なお、本実施形態におけるメタデータとして、テキストデータ、音声データ、ビデオデータの３種類を用いることができ、それぞれ以下のようにして入力される。
【００５４】
図１５は、メタデータ入力処理の流れを示すフロー図である。メタデータ入力処理（＃２６）は、入力されるメタデータの種類に応じて、その処理及び画面上において操作するボタンが異なる。
【００５５】
まず、入力するメタデータとして、テキストデータを用いる場合について説明する。テキストデータの入力（＃１２６）において、ユーザーは、入力したいテキストデータをテキストボックス６４に入力する（＃１２７）。このとき入力ミスや、再入力をした場合などは、クリアボタン６７を選択（＃１２８）することにより、テキストボックス６４内のテキストデータが消去される（＃１３０）ので、テキストボックス６４にテキストデータを再入力する。
【００５６】
テキストボックス６４内へのテキストデータの入力が終了し、当該テキストデータをコメントとして登録したい場合、ユーザーは、追加ボタン６５を選択する（＃１２９）。追加ボタン６５の選択により、後述する登録のための処理が開始される。
【００５７】
次に、入力するメタデータとして、音声データを用いる場合について説明する。音声データの入力（＃２２６）において、ユーザーが音声ツールバー６８の録音ボタン６８ａを選択すると、利用者端末に対して、ローカルのサウンド入力デバイスを駆動させて録音が開始される。音声データは、最大録音時間が予め決定されており、残りの録音可能時間については、音声ツールバー６８のインジケータ６８ｄによって確認することができる。インジケータ６８ｄが図１１において右端に移動した場合、最大録音可能時間が経過したことにより、自動的に録音が終了するが、ユーザーが任意のタイミングで停止ボタン６８ｃを選択することにより、録音を途中で停止することができる。録音された音声データは、利用者端末のテンポラリフォルダに保存され、音声ツールバー６８の近傍に録音済み音声データが存在していることを示すアイコン６８ｅが表示される。
【００５８】
録音済の音声データが、利用者端末のテンポラリーフォルダに格納されている場合において、当該音声データを消去する場合には、クリアボタン７０を選択（＃２２８）することにより、当該音声データが消去され、同時にアイコン６８ｅを画面上から消去する（＃２３０）。
【００５９】
録音された音声データを確認したい場合は、音声ツールバー６８の再生ボタン６８ｂを選択する。音声データの再生は、インジケータ６８ｄのスライドを任意の場所に移動した後で再生ボタン６８ｂを選択することにより、任意の位置から再生を行うことができる。音声データの再生中に、停止ボタン６８ｃを選択することにより再生を停止することができる。
【００６０】
録音された音声データを登録したい場合には、ユーザーは、追加ボタン６９を選択する（＃２２９）追加ボタン６９の選択により、後述する登録のための処理が開始される。
【００６１】
次にメタデータとして、ビデオデータを用いる場合について説明する。ビデオデータの入力（＃３２６）において、ユーザーがビデオツールバー７２の録画ボタン７２ａを選択すると、利用者端末に対して、ローカルのビデオ入力デバイスを駆動させて録画が開始される。ビデオデータは、最大録画時間が予め決定されており、残りの録画可能時間については、ビデオツールバー７２のインジケータ７２ｄによって確認することができる。インジケータ７２ｄが図１１において右端に移動した場合、最大録画可能時間が経過したことにより、自動的に録画が終了するが、ユーザーが任意のタイミングで停止ボタン７２ｃを選択することにより、録画を途中で停止することができる。録画されたビデオデータは、利用者端末のテンポラリフォルダに保存され、再生画面７１に先頭画像が表示される。
【００６２】
録画済のビデオデータが、利用者端末のテンポラリーフォルダに格納されている場合において、当該ビデオデータを消去する場合には、クリアボタン７４を選択（＃３２８）することにより、当該ビデオデータが消去され、同時に再生画面７１に表示されている先頭画像が消去される（＃３３０）。
【００６３】
録画されたビデオデータを確認したい場合は、ビデオツールバー７２の再生ボタン７２ｂを選択する。ビデオデータの再生は、インジケータ７２ｄのスライドを任意の場所に移動した後で再生ボタン７２ｂを選択することにより、任意の位置から再生を行うことができる。ビデオデータの再生中に、停止ボタン７２ｃを選択することにより再生を停止することができる。
【００６４】
録画されたビデオデータを登録したい場合には、ユーザーは、追加ボタン７３を選択する（＃３２９）追加ボタン７３の選択により、後述する登録のための処理が開始される。
【００６５】
上記のように、登録したいメタデータの入力が種類に応じて終了し、それぞれのメタデータの種類に対応した登録のための追加ボタン６５、６９、７３が選択されると（＃１２９、＃２２９、＃３２９）、上記のステップ＃２５において決定した指定領域を取得し（＃３１）、ｗｅｂサーバ１の画像データベースに登録され、コメント掲示板画面においては、画像６１中の指定領域に関連するコメントとして掲示板に追加される。
【００６６】
リストボックス６２内におけるコメントの表示位置については、リストボックス６２中のチェックボックス６３にチェックがされているか否かによって決定される。具体的には、いずれかの既登録のコメントに対するチェックボックス６３にチェックがされている場合は、チェックが入っている当該コメントの下層に追加する（＃３３）。チェックボックス６３は、１つのみチェックすることができる。一方。チェックボックス６３にチェックがされていない場合は、当該登録されるコメントは、最上位のコメントとして追加される（＃３４）。このとき、画像データベース８ｃには、当該コメントが示す領域及び入力されたメタデータが対応付けて記憶される。指定領域の情報としては、上述のように、２つの対角点の画像上の座標値を用いる。
【００６７】
リストボックス６２にコメントとして登録されたメタデータは、その種類によってリストボックス６２内での表示形態が異なる。コメントがテキストデータの場合は、その文字情報６２ｂが直接表示される。コメントが音声データの場合は、上記のステップ＃３３，＃３４により決定した位置に音声アイコン６２ｃを表示する。コメントがビデオデータの場合は、上記のステップ＃３３，＃３４により決定した位置に、ビデオアイコン６２ｄを表示する。
【００６８】
次に、登録されたコメントを削除する処理について説明する。図１６は、コメント削除の処理フロー図である。コメント削除は、自己が登録したコメントのみを削除できるように限定してもよいし、任意の者があらゆるコメントを削除できるようにしてもよい。
【００６９】
画面にコメント掲示板画面が表示されている場合は、上述のようにイベント監視状態となっている。この状態において、既登録のコメントを削除する場合は、まず、削除するコメントを選択する（＃４０）。具体的には、マウスなどを操作して、削除したいコメントのチェックボックス６３をチェックする。削除したいコメントが決定すると、削除ボタン７７を選択する（＃４１）ことにより、当該選択されたコメントが削除される。コメントの削除においては、選択されたコメントがどの層に設けられているかにより処理が異なる。すなわち、削除されるコメントが最下層のコメントである場合は、削除ボタン７７の選択によりそのまま当該コメントを削除する（＃４３）。一方、最下層のコメントではない場合は、選択されたコメントよりも下層に存在するコメントと共に削除するかどうかの確認を行い（＃４４）、ユーザーの確認が取れたことを条件として、下位のコメントと共に削除する。
【００７０】
次にコメント掲示板画面６０におけるステップ＃２２のコメント閲覧処理（画像の関心度表示の処理も含む。）について説明する。図１８及び図１９は、コメント閲覧処理の流れを示すフロー図である。
【００７１】
リストボックス６２はその大きさに応じて、一画面に表示することができるコメントの数が限られている。リストボックス６２に表示しきれないコメントは、リストボックス６２のスクロールバー６２ａの操作によりスクロールすることにより切り替える表示することができる。画像６１中には、リストボックス６２に表示されているコメントに関連付けられている指定領域枠６１１のみが表示されており、スクロールバー６２ａの操作に伴い、リストボックス６２に表示されるコメントが切り換わることによって、指定領域枠６１１の表示も切り換わって表示される。指定領域枠６１１は、対応付けられているメタデータの種類に応じてその色が異なっている。例えば、テキストデータの場合は黒、音声データの場合は黄色、ビデオデータの場合は青などで表示される。
【００７２】
登録されたコメントを閲覧する操作としては、リストボックス６２に表示されているコメント又はアイコンを操作して閲覧する方法と、画像６１の領域を選択して表示する方法がある。いずれの場合においても、リストボックス６２中のコメントと画像６１の指定領域は連働しており、いずれかが選択された場合は、対応する他方が強調表示される。
【００７３】
まず、リストボックス６２内のコメントが選択された場合についての閲覧処理について説明する。
【００７４】
マウスポインタ６１０（図１４参照）が画像６１及びリストボックス６２のいずれにも存在しない場合、イベント発生待ちの状態となっており、コメント６２ｂ、アイコン６２ｃ、６２ｄ及び関連する指定領域の枠線の色はデフォルトの状態となっており（＃５１）、コメント文字は黒色表示、アイコンは標準時の表示色（黒色）、指定領域の枠線は上述のようにメタデータの種類に応じた色で表示されている。
【００７５】
テキストコメントの閲覧においては、マウスポインタがリストボックスのテキストコメント上に移動すると、そのコメントに関連するオブジェクト（当該テキストコメント及び当該コメントの指定領域枠）が赤色に変色する（＃１５３）。マウスポインタをテキストコメントの外へ移動することなく（＃１５４のＮｏ）、マウスをクリックすると（＃１５５）、関連領域を抽出して、再生画面７１に拡大表示する（＃１５６）。マウスを再度クリック（＃１５７）すると、再生画面７１が全体画像に戻り（＃１５８）、テキストコメントの閲覧が終了する。
【００７６】
一方、これらの処理のいずれかのタイミングで、マウスポインタが、テキストコメントから外れると、テキストコメントと指定領域枠の色が元の黒色に戻り、閲覧処理が終了してイベント待ちの状態となる。
【００７７】
音声コメントの閲覧においては、マウスポインタを音声アイコン上に移動させることにより行うことができる。
【００７８】
リストボックス６２内の音声コメントのアイコン６２ｃは、音声コメントが再生された時間の割合の平均によって当該コメントの重要度が判定され、当該重要度に応じてリストボックス６２内のアイコンのデザインを変えて表示する。具体的には、（ユーザー画実際に再生した時間）／（コメントの録音時間）の平均で重要度を判定し、重要度が、０〜３３％未満、３３〜６６％未満、６６〜１００％の３段階に分けて、図１７に示すように３種類のアイコンを表示する。ユーザーは、アイコンデザインから、当該音声データを実際に再生することなく、事前にその重要度を判断でき、どの音声コメントから再生すればよいかの指標とすることができる。
【００７９】
マウスポインタが音声アイコン上に移動すると、関連オブジェクトである音声アイコン及び当該コメントの指定領域枠が赤色に変色する（＃２５３）。その後、当該音声データの再生が開始される（＃２５４）。マウスポインタを音声アイコン６２ｃの外へ移動することなく（＃２５５のＮｏ）、マウスをクリックすると（＃２５６）、関連領域を抽出して、再生画面７１に拡大表示する（＃２５７）。マウスを再度クリック（＃２５８）すると、再生画面７１が全体画像に戻り（＃２５９）、音声コメントの閲覧が終了する。
【００８０】
一方、これらの処理のいずれかのタイミングで、マウスポインタが、音声アイコンから外れると、音声データの再生が終了すると共に、音声アイコンと指定領域枠の色が元の色に戻り、閲覧処理が終了してイベント待ちの状態となる。
【００８１】
ビデオコメントの閲覧においては、マウスポインタをビデオアイコン上に移動させることにより行うことができる。
【００８２】
リストボックス６２内のビデオコメントのアイコンは、音声アイコンと同様に、ビデオコメントが再生された時間の割合の平均によって当該コメントの重要度が判定され、当該重要度に応じてリストボックス６２内のアイコンのデザインを変えて表示される。よって、ユーザーは、アイコンデザインから、当該ビデオデータを実際に再生することなく、事前にその重要度を判断でき、どのビデオコメントから再生すればよいかの指標とすることができる。
【００８３】
マウスポインタがビデオアイコン上に移動すると、関連オブジェクトであるビデオアイコン及び当該コメントの指定領域枠が赤色に変色する（＃３５３）。その後、当該ビデオデータの再生が開始される（＃３５４）。マウスポインタをビデオアイコン６２ｃの外へ移動することなく（＃３５５のＮｏ）、マウスをクリックすると（＃３５６）、関連領域を抽出して、再生画面７１に拡大表示する（＃３５７）。マウスを再度クリック（＃３５８）すると、再生画面７１が全体画像に戻り（＃３５９）、テキストコメントの閲覧が終了する。
【００８４】
一方、これらの処理のいずれかのタイミングで、マウスポインタが、ビデオアイコンから外れると、ビデオデータの再生が終了すると共に、ビデオアイコンと指定領域枠の色が元の色に戻り、閲覧処理が終了してイベント待ちの状態となる。
【００８５】
次に、画像６１の指定領域が選択された場合についての閲覧処理について説明する。画像の指定領域が選択された場合のコメントの閲覧は、１つの指定領域に複数のコメント（階層的に付されたコメントを含む）が付されている場合や、画像上のある点が複数の指定領域に重なっている場合などがあることから、上記のリストボックス６２のコメントが選択される場合と処理手順が以下のように異なっている。
【００８６】
上述のように、コメント掲示板画面において、イベント発生待ちの状態となっている場合は、コメント６２ｂ、アイコン６２ｃ、６２ｄ及び関連する指定領域の枠線の色はデフォルトの状態となっている（＃５１）。この状態で、マウスポインタが、画像６１に上に移動すると、その位置がコメントが付された指定領域であるか否かについて判断される（＃７０）。指定領域ではない場合は、閲覧に関する処理は行われることなく、イベント待機状態が継続する。
【００８７】
マウスポインタが移動された点が指定領域である場合は、当該点に複数の指定領域が存在するか否かについて判断される（＃７１）。複数の指定領域ではない場合は（＃７１のＮｏ）、当該指定領域に対応付けられたコメントが１つであるか複数であるかについて判断される（＃７２）。当該指定領域に対応付けられたコメントが単数である場合（＃７２のＹｅｓ）は、コメントの種類に応じて、それぞれ以下のように処理がなされる。
【００８８】
指定領域に対応付けられたコメントがテキストコメントである場合は、上述のテキストコメントの閲覧と同様の処理Ａがなされる（図１８ステップ＃１５３〜＃１５８参照）。すなわち、指定領域に関連づけられたテキストコメント及び指定領域枠が赤色に変色し、マウスで当該領域をクリックすることによって、当該領域が拡大表示される。マウスポインタが当該領域から外れると、指定領域枠及びリストボックス６２内のテキストコメントが元の黒色に変化する。
【００８９】
指定領域に対応付けられたコメントが音声コメントである場合は、上述の音声コメントの閲覧と同様の処理Ｂがなされる（図１８ステップ＃２５３〜＃２５９参照）。すなわち、指定領域に関連づけられた音声アイコン及び指定領域枠が赤色に変色し、音声データが再生されると共に、マウスで当該領域をクリックすることによって、当該領域が拡大表示される。マウスポインタが当該領域から外れると、音声データの再生が終了すると共に、指定領域枠及びリストボックス６２内の音声アイコンが元の色に変化する。
【００９０】
指定領域に対応付けられたコメントがビデオコメントである場合は、上述のビデオコメントの閲覧と同様の処理Ｃがなされる（図１８ステップ＃３５３〜＃３５９参照）。すなわち、指定領域に関連づけられたビデオアイコン及び指定領域枠が赤色に変色し、マウスポインタが当該領域に存在する間ビデオデータが再生されると共に、マウスで当該領域をクリックすることによって、当該領域が拡大表示される。マウスポインタが当該領域から外れると、ビデオデータの再生が終了すると共に、指定領域枠及びリストボックス６２内のビデオアイコンが元の色に変化する。
【００９１】
指定領域に対応付けられたコメントが複数である場合（＃７２のＮｏ）は、当該複数のコメントがすべてテキストコメントであるか否が判断され（＃７４）、それぞれ以下のように処理がなされる。
【００９２】
指定領域に対応付けられた複数のコメントがすべてテキストコメントである場合（＃７４のＹｅｓ）、上述のテキストコメントの閲覧と同様の処理Ａがなされる（図１８ステップ＃１５３〜＃１５８参照）。すなわち、指定領域に関連づけられたすべてのテキストコメント及び指定領域枠が赤色に変色し、マウスで当該領域をクリックすることによって、当該領域が拡大表示される。マウスポインタが当該領域から外れると、指定領域枠及びリストボックス６２内のすべてのテキストコメントが元の黒色に変化する。
【００９３】
指定領域に対応付けられた複数のコメントがすべてテキストコメントでない場合（＃７４のＮｏ）、すなわち、テキストコメントと音声コメント又はビデオコメントが存在する場合、又は音声コメント又はビデオコメントのみの場合は、関連オブジェクトである当該指定領域に関連付けられたすべてのコメント（テキストコメント、音声アイコン及びビデオアイコン）と指定領域枠が赤色に変色する（＃７５）。そして、当該対応付けられたコメントのうち、音声データ及びビデオデータについては、コメントが付された日時が古い順に順次再生を開始する（＃７６）。
【００９４】
音声データ及びビデオデータの再生途中において、当該コメントの再生を中止したい場合は、そのままマウスをダブルクリックする（＃７８）と、次のコメントについて再生が開始される（＃７９）。また、音声データ及びビデオデータの再生途中において、そのままマウスをクリックすると、関連領域の画像を抽出して、再生画面７１に拡大表示する（＃８１）。マウスを再度クリック（＃８２）すると、再生画面７１が全体画像に戻り（＃８３）、コメントの閲覧が終了する。
【００９５】
一方、これらの処理のいずれかのタイミングで、マウスポインタが、指定領域から外れると、音声データ及びビデオデータの再生が終了すると共に、指定領域枠及びリストボックス６２内のコメントが元の色に戻り、閲覧処理が終了してイベント待ちの状態となる。
【００９６】
次に、マウスポインタが移動された点に複数の指定領域が存在する場合（＃７１のＹｅｓ）について説明する。この場合は、マウスポインタが存在する点に含まれるすべての指定領域枠に関連付けられたコメントがすべてテキストコメントであるか否かについて判断され（＃８５）、それぞれ以下のように処理がなされる。
【００９７】
マウスポインタが移動された点に存在する複数の指定領域に対応付けられたすべてのコメントがすべてテキストコメントである場合（＃８５のＹｅｓ）、上述のテキストコメントの閲覧と同様の処理Ａがなされる（図１８ステップ＃１５３〜＃１５８参照）。すなわち、指定領域に関連づけられたすべてのテキストコメント及びマウスポインタが移動された点に存在するすべての指定領域枠が赤色に変色する。
【００９８】
この位置でマウスをクリックすることによって、当該領域が拡大表示される。このとき拡大表示される画像の範囲は、図２０に示すようにバウンディングボックス６１２内の画像である。バウンディングボックス６１２は、複数の指定領域に外接する矩形領域である。すなわち、マウスポインタ６１０が存在する位置において、３つの指定領域６１１ａ〜６１１ｃが存在する場合は、その３つの指定領域に外接する矩形領域６１２がバウンディングボックスとなる。マウスポインタが移動していずれかの指定領域から外れると、当該指定領域枠及びリストボックス６２内のすべてのテキストコメントが元の色に変化する。すなわち、すべての指定領域の重複位置からマウスポインタが外れると、すべての指定領域枠及びコメントが元の色に戻る。
【００９９】
指定領域に対応付けられた複数のコメントがすべてテキストコメントでない場合（＃８５のＮｏ）、すなわち、テキストコメントと音声コメント又はビデオコメントが存在する場合、又は音声コメント又はビデオコメントのみの場合は、上述の処理Ｄと同様の処理（図１９ステップ＃７５〜＃８４参照）がなされる。すなわち、関連オブジェクトである当該指定領域に関連付けられたすべてのコメント（テキストコメント、音声アイコン及びビデオアイコン）と指定領域枠が赤色に変色する。そして、当該対応付けられたコメントのうち、音声データ及びビデオデータについては、コメントが付された日時が古い順に順次再生を開始する。
【０１００】
音声データ及びビデオデータの再生途中において、当該コメントの再生を中止したい場合は、そのままマウスをダブルクリックすると、次のコメントについて再生が開始される。また、音声データ及びビデオデータの再生途中において、そのままマウスをクリックすると、関連領域の画像を抽出して、再生画面７１に拡大表示する。拡大表示される画像の範囲は、上述の通りバウンディングボックス６１２の範囲である。マウスを再度クリックすると、再生画面７１が全体画像に戻り、コメントの閲覧が終了する。
【０１０１】
一方、これらの処理のいずれかのタイミングで、マウスポインタが、指定領域から外れると、音声データ及びビデオデータの再生が終了すると共に、指定領域枠及びリストボックス６２内のコメントが元の色に戻り、閲覧処理が終了してイベント待ちの状態となる。
【０１０２】
次にコメント掲示板画面６０において関心度表示ボタン７５を選択した場合について説明する。関心度表示ボタン７５を選択した場合は、サーバは所定の評価基準によりセル６１５（図１４参照）ごとの関心度（ポイント）を集計し、その結果をグラフの形にして表示する関心度分布画面（図２１参照）を利用者端末２、３に表示させる。具体的には以下のような処理が行われる。
【０１０３】
まず、利用者は、関心度分布画面７０を表示させる場合、関心度評価基準をコンボボックス７６から選択する。関心度評価基準としては、登録されたコメントの数、閲覧回数、閲覧時間の累計などが例示される。１つのセルが、複数の指定領域に属したり、同じ指定領域に複数のコメントが付されているような場合は、当該指定領域に付されたコメントによって与えられる関心度（ポイント）が累積的に合計して集計することもできる。
【０１０４】
また、コメントデータの種類ごとに分類して集計することができるように構成されている。例えば、音声コメント及びビデオコメントについての関心度は、音声データ及びビデオデータの総再生時間に対するユーザーが実際に再生した時間の割合などを用いて評価してもよい。また、複数の項目を組み合わせて評価してもよく、例えば、「閲覧回数＋閲覧時間の順位×３」などのように何らかの演算を行って関心度を算出してもよい。
【０１０５】
コンボボックス７６の操作により関心度評価基準が決定すると、ｗｅｂサーバ１は、この情報を取得する。（＃６１）。次いで、当該基準にしたがって、各セルごとにデータ集計を行い、集計したセルごとのポイントデータを用いて、分布図を作成する（＃６２）。分布図の作成が終了すると、これらの情報を利用者端末へ出力し、これを受けた利用者端末が、別ウインドウを開いて関心度分布画面７０を表示する（＃６３）。
【０１０６】
表示画面は、図２１に示すように各メッシュごとに関心度のポイントに応じた面グラフ６１Ｇなどが好適に用いられる。すなわち、各セルごとのポイントに応じて、各セル６１５の高さが異なるようにグラフ化する。なお、グラフの例としては、図２１に示すもののほか、例えば、画像６１自体をエンボス的に変形させてもよい。また、文字情報だけもしくは音声だけなどコメントの種類ごとの情報から分布を表示できるようにしてもよい。
【０１０７】
関心度分布画面７０において、閉じるボタン７４又は終了ボタン７３を選択することにより、関心度分布画面が閉じ、コメント掲示板画面６０に戻り、イベント待機の状態となる。
【０１０８】
以上説明したように、上記構成のコンピュータシステムによれば、サイトに掲載された画像について、不特定多数の者が当該写真の一部領域について、テキストデータ及びマルチメディアデータを用いてコメントを付すことができる。また、データの種類に応じて、領域を示す枠線の色が異なって表示されるため、どの部分にどのようなコメントが付されているかをすぐに判断することができる。
【０１０９】
また、閲覧時において、指定領域枠あるいはコメントの一方をマウスで選択することにより、対応付けられている他方が変色することにより、どのコメントがどの領域についてのものであるかを簡単に見分けることができる。また、リストボックスに表示されているコメントを示すアイコンは、重要度に応じてその表示を変更する。よって、その表示を見ることによって、当該音声データを実際に再生することなく、事前にその重要度を判断でき、どの音声コメントから再生すればよいかの指標とすることができる。
【０１１０】
なお、本発明は上記実施形態に限定されるものではなく、その他種々の態様で実施可能である。
【０１１１】
例えば、本コンピュータシステムはインターネットを用いたネットワークシステムで構成されているが、例えば、ネットワークを用いずに本実施形態のｗｅｂサーバと同様の機能を備えた装置を単独で使用してもよい。例えば、この場合、店頭などにユーザーが写真画像を登録することができると共に、第三者が同じ装置を用いてコメントを付すことができるようにすることもできる。
【０１１２】
また、メタデータの種類に応じて指定領域の表示を変更する場合、指定領域枠の色だけではなく、線種、枠線の太さを異ならせることにより、表示を異ならせてもよい。
【図面の簡単な説明】
【図１】本実施形態にかかるコンピュータシステムの構成図である。
【図２】図１にかかるコンピュータシステムのｗｅｂサーバの構成を示すブロック図である。
【図３】実施形態にかかるコンピュータシステムにおける動作処理のフローチャートである。
【図４】ログイン画面の画面表示例である。
【図５】ユーザー登録画面の画面表示例である。
【図６】フォルダ選択画面での処理の流れを示すフロー図である。
【図７】フォルダ選択画面の画面表示例である。
【図８】画像一覧画面の画面表示例である。
【図９】画像一覧画面での処理の流れを示すフロー図である。
【図１０】ファイル指定画面の画面表示例である。
【図１１】コメント掲示板画面の画面表示例である。
【図１２】コメント掲示板画面での処理の流れを示すフロー図である。
【図１３】コメント作成処理の初期処理の流れを示すフロー図である。
【図１４】コメント掲示板画面に用いられる画像を示す図であり、（ａ）は、コメント掲示板画面に表示される画像を示す図であり、（ｂ）は（ａ）の画像をセルに分割した状態を示す図である。
【図１５】メタデータ入力処理の流れを示すフロー図である。
【図１６】コメント削除の処理フロー図である。
【図１７】コメント掲示板画面のリストボックスに表示される音声コメントのアイコンを示す図である。
【図１８】コメント閲覧処理の流れを示すフロー図である。
【図１９】コメント閲覧処理の流れを示すフロー図である。
【図２０】バウンディングボックスの説明図である。
【図２１】関心度分布画面の画面表示例である。
【符号の説明】
１  ｗｅｂサーバ
２、３  利用者端末
４  インターネット
５  マウス
６  出力装置
７  プロセッサ
８  記憶装置
２０  ログイン画面
３０  ユーザー登録画面
４０  フォルダ選択画面
５０  画像一覧画面
６０  コメント掲示板画面
６１  画像
６１Ｇ  関心度分布グラフ
６１ｘ  セル分割画像
６１１  指定領域枠
６１１ｘ  指定領域
６１５  セル
７０  関心度分布画面
【図１】
2004246454.tif 000003
【図２】
2004246454.tif 000004
【図３】
2004246454.tif 000005
【図４】
2004246454.tif 000006
【図５】
2004246454.tif 000007
【図６】
2004246454.tif 000008
【図７】
2004246454.tif 000009
【図８】
2004246454.tif 000010
【図９】
2004246454.tif 000011
【図１０】
2004246454.tif 000012
【図１１】
2004246454.tif 000013
【図１２】
2004246454.tif 000014
【図１３】
2004246454.tif 000015
【図１４】
2004246454.tif 000016
【図１５】
2004246454.tif 000017
【図１６】
2004246454.tif 000018
【図１７】
2004246454.tif 000019
【図１８】
2004246454.tif 000020
【図１９】
2004246454.tif 000021
【図２０】
2004246454.tif 000022
【図２１】
2004246454.tif 000023